(57)【特許請求の範囲】
【請求項１】
所定の長さを有する照明器具本体を備えた照明器具であって、
前記照明器具本体に、その長さ方向に沿って延びかつ互いに独立する２つのランプ収容凹部が並列に設けられ、
前記２つのランプ収容凹部内にランプがそれぞれ収容配置され、
前記２つのランプ収容凹部のうち、一方のランプ収容凹部の開口方向が、他方の収容凹部の開口方向に対し、照明器具本体の長さ方向の軸回り（長軸回り）に位相をずらせるように設定されて、各ランプから照射される照明光が異方向に照射されるよう構成され、
前記ランプ収容凹部の周壁が、リフレクターによって構成され、
前記一方のランプ収容凹部の開口方向が下向きに配置された状態では、前記他方のランプ収容凹部の開口方向が前向きに配置されるよう構成され、
前記他方のランプ収容凹部は、断面形状において、下側壁に当該凹部の開口の下側を閉じるように張出閉塞部が設けられるとともに、上側壁が上側に大きく傾斜して上方開放部が形成され、
前記他方のランプ収容凹部に収容された他方のランプから照射される照明光が前記リフレクターによって制御されて、前記他方のランプから照射される照明光のうち、下側の照明光よりも上側の照明光の配光量が多くなるよう設定されていることを特徴とする照明器具。
【請求項２】
前記照明器具本体にその本体を照明設置部に支持するための支持部材が設けられ、
前記支持部材が、照明設置部側に取り付けられる固定具と、照明器具本体に取り付けられる可動具と、を有し、
前記可動具が、前記固定具に対し、長軸回りに回転自在にかつ任意の回転位置に固定可能に取り付けられる請求項１に記載の照明器具。
【発明の詳細な説明】
【技術分野】
【０００１】
この発明は、例えば商品陳列台の商品や店舗内を照明するための照明器具に関する。
【背景技術】
【０００２】
スーパーマーケットなどの総合食品小売店では、店内イメージや購買意欲を向上させるために様々な照明技術が採用されている。
【０００３】
たとえば、陳列台、陳列ケースなどに陳列した鮮魚、果物、野菜などの生鮮食料品や、総菜、弁当などのデリカフードをスポットライトによって照明して、商品そのものを強調したり、あるいは店内壁面などに設けた所定商品の広告面（ＰＯＰ面）を蛍光灯によって適度な明るさで照明して、所定商品をアピールして広告効果を増大させると同時に、店内に奥行き感や明るさ（清潔感）を持たせるようにしている（特許文献１）。
【特許文献１】特開２０００−１４９６１２号
【発明の開示】
【発明が解決しようとする課題】
【０００４】
しかしながら、上記従来の照明器具は基本的に、ひとつの器具によって照明する場所が一箇所に特定されるものであるため、たとえば従来の照明器具を用いて、商品陳列台上の商品と、壁面などのＰＯＰ面とを同時に照明するような場合には、陳列台上の商品を照明するスポットライトなどの照明器具と、ＰＯＰ面を照明する蛍光灯などの照明器具とをそれぞれ別々に準備する必要がある。このように従来の照明器具は、照明する箇所にそれぞれ設置する必要があるため、照明器具の設置数が増加して、照明設置作業が困難になるばかりか、コストの増大も来すという問題が発生する。
【０００５】
この発明は、上記従来技術の問題を解消し、設置数を少なくできて、設置作業を簡単に行えるとともに、コストの削減を図ることができる照明器具を提供することを目的とする。
【課題を解決するための手段】
【０００６】
上記目的を達成するため、本発明は、以下の構成を要旨としている。
【０００７】
［１］  所定の長さを有する照明器具本体を備えた照明器具であって、
前記照明器具本体に、その長さ方向に沿って延びかつ互いに独立する２つのランプ収容凹部が並列に設けられ、
前記２つのランプ収容凹部内にランプがそれぞれ収容配置され、
前記２つのランプ収容凹部のうち、一方のランプ収容凹部の開口方向が、他方の収容凹部の開口方向に対し、照明器具本体の長さ方向の軸回り（長軸回り）に位相をずらせるように設定されて、各ランプから照射される照明光が異方向に照射されるよう構成され、
前記ランプ収容凹部の周壁が、リフレクターによって構成され、
前記一方のランプ収容凹部の開口方向が下向きに配置された状態では、前記他方のランプ収容凹部の開口方向が前向きに配置されるよう構成され、
前記他方のランプ収容凹部は、断面形状において、下側壁に当該凹部の開口の下側を閉じるように張出閉塞部が設けられるとともに、上側壁が上側に大きく傾斜して上方開放部が形成され、
前記他方のランプ収容凹部に収容された他方のランプから照射される照明光が前記リフレクターによって制御されて、前記他方のランプから照射される照明光のうち、下側の照明光よりも上側の照明光の配光量が多くなるよう設定されていることを特徴とする照明器具。
【０００８】
［２］  前記照明器具本体にその本体を照明設置部に支持するための支持部材が設けられ、
前記支持部材が、照明設置部側に取り付けられる固定具と、照明器具本体に取り付けられる可動具と、を有し、
前記可動具が、前記固定具に対し、長軸回りに回転自在にかつ任意の回転位置に固定可能に取り付けられる前項１に記載の照明器具。
【発明の効果】
【００１０】
発明［１］の照明器具によれば、開口方向が異なる２つのランプ収容凹部を有し、各凹部内に収容された各ランプから照射される照明光が、異方向に照射されるように構成されているため、異なる２箇所を同時に照明することができる。このため、異なる２箇所を別々の照明器具によって照明する場合と比較して、照明器具の設置数を少なくできて、その分、照明器具設置作業を容易に行えるとともに、コストを削減することができる。
【００１１】
また、発明［１］の照明器具によれば、前記他方のランプ収容凹部は、断面形状において、下側壁に当該凹部の開口の下側を閉じるように張出閉塞部が設けられるとともに、上側壁が上側に大きく傾斜して上方開放部が形成されているので、他方のランプから照射される照明光が、水平方向やや下側から斜め上方の範囲内に照射されるとともに、その照射範囲内において、照明光の配光量が、下側（水平部）よりも上側が多くなり、他方のランプによって壁面などを照明する際に、他方のランプ位置よりも上側を一様な明るさに照明することができ、照明効果をより一層向上させることができる。このため壁面上側部に、十分な奥行き感や清潔感を持たせることができ、店内イメージをより一層向上させることができる。
【００１２】
発明［２］の照明器具によれば、照明器具本体の取付角度、つまり照明光の照射位置を自在に変更調整することができるため、所望の領域を的確に照明することができ、照明効果を一層向上させることができる。
【発明を実施するための最良の形態】
【００１３】
図１はこの発明の実施形態である照明器具（１０）が適用された照明設備を示す図である。これらの図に示すように、この照明設備は、スーパーマーケットなどの総合食品小売店における鮮魚、果物、野菜などの生鮮食料品売り場に設置されている。
【００１４】
この食料品売り場には、店内の側壁面（１）から間隔をおいて陳列台（３）が設けられ、この陳列台（３）に、果物などの商品（４）が陳列されている。さらに陳列台（３）の上方における天井（２）には、以下に詳述する照明器具（１０）が設置されている。
【００１５】
図１〜５に示すように本実施形態の照明器具（１０）は、所定の長さを有する照明器具本体（２０）を備えている。なお本実施形態においては、発明の理解を容易にするため、図２に向かって左側を「正面（前面）側」、右側を「背面（後面）側」、上側を「上側」、下側を「下側」として説明する。
【００１６】
照明器具本体（１１）は、その本体（１１）の上側から背面側にかけて配置され、かつ長さ方向に沿って連続して設けられるアルミニウム押出品のシェード（２０）と、本体（１１）の正面および下面間のコーナー部に配置され、かつ長さ方向に沿って連続して設けられる細長形状の開口間フレーム（３０）と、本体（１１）の長さ方向両端部に設けられる端面カバー（４０）（４０）とを基本的な構成要素として備えている。
【００１７】
この照明器具本体（１１）は、断面形状が、開口間フレーム（３０）を頂点とする略山型ないし略扇型形状を有している。さらにシェード（２０）の上側縁部および下側縁部は内側に屈曲状に形成されており、この屈曲状の下側縁部と、開口間フレーム（３０）との間には、下向きの第１開口（１２ａ）が設けられるとともに、シェード（２０）の上側縁部と、開口間フレーム（３０）との間には、前向きの第２開口（１２ｂ）が設けられている。
【００１８】
開口間フレーム（３０）の両側縁部における開口（１２ａ）（１２ｂ）側には、長さ方向に連続して延びるリフレクター取付溝（３１）（３１）が設けられる。さらにシェード（２０）の両側縁部における開口（１２ａ）（１２ｂ）側には、長さ方向に連続して延びるリフレクター取付溝（２１）（２１）が設けられている。
【００１９】
なお本実施形態においては、開口（１２ａ）（１２ｂ）によって構成される開口面に対し直交する方向が開口方向（Ｄ１）（Ｄ２）として定義されている。そして本実施形態においては後述するように、一方側の第１開口方向（Ｄ１）が、他方側の第２開口方向（Ｄ２）に対しほぼ直角に配置されている。
【００２０】
シェード（２０）の内面側には、長さ方向に連続して延びる一対のねじ止め用突条部（２２）（２２）が一体に設けられる。この一対の突条部（２２）（２２）には、リフレクター支持プレート（２３）の両端がねじ（２４）（２４）により締結固定されて、そのリフレクター支持プレート（２３）が、一対の突条部（２２）（２２）間を架け渡すように配置される。
【００２１】
照明器具本体（１１）内には、反射板としての第１および第２リフレクター（５０）（６０）が設けられる。第１リフレクター（５０）は、第１開口（１２ａ）に対応して配置されるとともに、第２リフレクター（６０）は、第２開口（１２ｂ）に対応して配置されている。
【００２２】
第１リフレクター（５０）は、断面が左右対称の溝型形状を有している。このリフレクター（５０）が、その両側壁（５２）（５２）の先端縁がシェード（２０）のリフレクター取付溝（２１）および開口間フレーム（３０）のリフレクター取付溝（３１）に挿入係止された状態で、ねじ（５５）によって上記リフレクター支持プレート（２３）に固定される。そしてこのリフレクター（５０）によって第１蛍光灯収容凹部（１３ａ）が形成される。この第１蛍光灯収容凹部（１３ａ）は、下向きに開放し、かつ照明器具本体（１１）の長さ方向に連続して配置されている。さらにこの凹部（１３ａ）は、断面形状において、底壁（５１）が円弧状に形成されるとともに、両側壁（５２）（５２）が下方に向かうに従って拡開するように傾斜して配置されている。
【００２３】
第２リフレクター（６０）は、異形溝型形状を有している。このリフレクター（６０）が、その両側壁（６２）（６３）の先端縁がシェード（２０）のリフレクター取付溝（２１）および開口間フレーム（３０）のリフレクター取付溝（３１）に挿入係止された状態で、ねじ（６５）によって上記リフレクター支持プレート（２３）に固定される。そしてこのリフレクター（６０）によって、第２蛍光灯収容凹部（１３ｂ）が形成される。この第２蛍光灯収容凹部（１３ｂ）は、水平方向前向きに開放し、かつ照明器具本体（１１）の長さ方向に連続して配置されている。さらにこの凹部（１３ｂ）は、断面形状において、下側壁（６２）に第２開口（１２ｂ）の下側を閉じるように張出閉塞部（６２ａ）が設けられるとともに、上側壁（６３）が上側に大きく傾斜して上方開放部（６３ａ）が形成されている。そして張出閉塞部（６２ａ）および上方開放部（６３ａ）を有するリフレクター（６０）によって、後に詳述するように照明光が制御されて、照明光が下側に照射されるのが制限されるとともに、照明光が上側に多く照射されるようにしている。
【００２４】
図３，４に示すように照明器具本体（１１）の長さ方向両端部における端面カバー（４０）（４０）の内側には、蛍光灯支持プレート（４１）（４１）が設けられるとともに、この支持プレート（４１）（４１）の内側に、第１および第２蛍光灯収容凹部（１３ａ）（１３ｂ）にそれぞれ対応して、ソケット（４２）が設けられている。
【００２５】
そして直管蛍光灯（１４ａ）（１４ｂ）が第１および第２蛍光灯収容凹部（１３ａ）（１３ｂ）に収容配置された状態で、各蛍光灯（１４ａ）（１４ｂ）の両端部が、対応するソケット（４２）に連結固定される。
【００２６】
また図２および図６に示すように、照明器具本体（１１）におけるシェード（２０）の外面側両端部には、照明器具（１０）を天井（２）に支持するための支持部材（７０）が設けられている。
【００２７】
支持部材（７０）は、連結プラグ（７１）と、連結金具（７２）と、可動金具（７３）と、を基本的な構成要素として備えている。
【００２８】
連結プラグ（７１）は、その上端部に小径のネック部（７１ｂ）を介して大径の抜止め係止部（７１ａ）が設けられている。連結金具（７２）は、コ字型の形状を有しており、その両側片が下向きに配置されるようにして、中間片が連結プラグ（７１）の下端に固定されている。可動金具（７３）は、連結金具（７２）より少し大きいコ字型の形状を有しており、その両側片が連結金具（７２）の両側片の外側に配置された状態で、可動金具（７３）の両側片に外側から貫通されたねじ（７４）が、連結金具（７２）の両側片に締結されている。そしてねじ（７４）を強く締め付けた状態では、可動金具（７３）の両側片が、連結金具（７２）の両側片およびねじ（７４）の頭部によって挟持されて、可動金具（７３）が連結金具（７２）に対し固定される。さらにねじ（７４）による締付を解除した状態では、可動金具（７３）における連結金具（７２）およびねじ（７４）による挟持が解除されて、可動金具（７３）がねじ（７４）の軸回りに可動（回転）自在に構成される。
【００２９】
この支持部材（７０）における可動金具（７３）の中間片が、照明器具本体（１１）におけるシェード（２０）の外面に固定される。このとき、支持部材（７０）のねじ（７４）の軸心が、照明器具本体（１１）の長さ方向に一致するように配置されている。
【００３０】
なお本実施形態においては、支持部材（７０）の連結プラグ（７１）および連結金具（７２）によって固定具が構成されるとともに、可動金具（７３）によって可動具が構成されている。
【００３１】
一方、天井（２）における商品陳列台（３）の上方には、配線ダクト（５）が設けられている。この配線ダクト（５）は、所定の方向に延びる管状のダクト本体（５ａ）を有し、このダクト本体（５ａ）の下壁に、長さ方向に沿って連続するスリット（５ｂ）が形成されている。そして支持部材（７０）のネック部（７１ｂ）を、配線ダクト（５）のスリット（５ｂ）に配置させるように、支持部材（７０）の抜止め係止部（７１ａ）を、配線ダクト（５）のダクト本体（５ａ）内に挿入して固定することによって、照明器具本体（１１）が支持部材（７０）を介して配線ダクト（５）に吊持される。
【００３２】
こうして吊持された照明装置（１０）において、支持部材（７０）のねじ（７４）を緩めた際には、可動金具（７３）、つまり照明器具本体（１１）が、ねじ（７４）の軸心回り（照明器具本体の長さ方向の軸回り）に回転自在に構成されるとともに、ねじ（７４）を締め付けた状態では、その締め付け位置（任意の回転位置）において、照明器具本体（１１）の回転が規制されて、その位置に固定されるよう構成されている。
【００３３】
以上の構成の照明器具（１０）は、既述したように、商品陳列台（３）上における天井（２）に取り付けられる。このとき照明器具（１０）の第１開口（１２ａ）は、商品（４）に向くように垂直方向下向きに設定されるとともに、第２開口（１２ａ）は、側壁面（１）に向くように水平方向前向き設定される。この状態で第１および第２蛍光灯（１４ａ）（１４ｂ）を点灯すると、図１および図７に示すように第１凹部（１３ａ）内の第１蛍光灯（１４ａ）から照射される照明光（Ｌ１）は、第１開口（１２ａ）を通って下方に照射されて、陳列台（３）上の商品（４）が照明される。さらに第２凹部（１３ｂ）内の第２蛍光灯（１４ｂ）から照射される照明光（Ｌ２）は、照明光（Ｌ１）に干渉することなく、第２開口（１２ｂ）を通って側方に照射されて、側壁面（１）が照明される。
【００３４】
このように陳列台（３）の商品（４）を第１蛍光灯（１４ａ）によって直接照明することによって、商品（４）そのものを強調して購買意欲を向上させると同時に、側壁面（１）を照明して奥行き感や明るさを持たせて、店内イメージを向上させることができる。
【００３５】
以上のように本実施形態の照明器具（１０）によれば、一方の照明光（Ｌ１）を下方の商品（４）に照射するとともに、他方の照明光（Ｌ２）を側方の側壁面（１）に照射させることができるため、商品用照明器具と、店内（壁面）用照明器具とをそれぞれ個別に設ける必要がなく、その分、照明器具の設置数を削減できて、照明設置作業を容易に行えるとともに、コストも削減することができる。
【００３６】
さらに本実施形態の照明器具（１０）は、支持部材（７０）によって、長軸回りに回転自在に、かつ任意の回転位置に固定可能に構成しているため、照明光（Ｌ１）（Ｌ２）による照明位置を自在に設定できて、所望の領域を的確に照明することができる。従って照明効果を一層向上させることができて、購買意欲および店内イメージを一層向上させることができる。
【００３７】
また本実施形態の照明器具（１０）においては、第２蛍光灯（１４ｂ）によって照明される側壁面（１）の上側部（１ａ）を、一様な明るさで照明することができ、購買意欲および店内イメージをより一層向上させることができる。すなわち、照明器具（１０）の第２蛍光灯（１４ｂ）によって照明される側壁面（１）の上側部（１ａ）は、垂直面であるため、その壁面上側部（１ａ）においては上方にいくに従って、第２蛍光灯（１４ｂ）からの距離が次第に遠くなる。つまり通常の照明器具の蛍光灯などで壁面上側部（１ａ）を照明した場合には、壁面上側部（１ａ）の上側にいくに従って、光度が次第に低下して、上端部が暗くなるため、奥行き感や明るさを十分に持たせることが困難になる。
【００３８】
そこで本実施形態の照明器具（１０）においては図２および図７に示すように、第２蛍光灯収容凹部（１３ｂ）における下側壁（６２）に張出閉塞部（６２ａ）を設けるとともに、上側壁（６３）を上方に大きく傾斜させて上方開放部（６３ａ）を形成しているため、第２蛍光灯（１４ｂ）から照射される照明光（Ｌ２）が、水平方向やや下側から斜め上方の範囲内に照射されるとともに、その照射範囲内において、照明光（Ｌ２）の配光量が、下側（水平部）よりも上側が多くなる。このように第２蛍光灯（１４ｂ）の照明光（Ｌ２）が、下側よりも上側に多く照射されるため、壁面上側部（１ａ）は上方に向かうに従って第２蛍光灯（１４ｂ）からの距離が遠くなるにもかかわらず、壁面上側部（１ａ）の全域が、第２蛍光灯（１４ｂ）によって一様な明るさに照明することができる。このため壁面上側部（１ａ）に、十分な奥行き感や清潔感を持たせることができ、店内イメージをより一層向上させることができる。
【００３９】
特に壁面上側部（１ａ）を商品広告面などのＰＯＰ面に構成している場合には、そのＰＯＰ面全域を一様な明るさに照明できるため、広告効果をより一層向上させることができ、購買意欲もより一層向上させることができる。
【００４０】
なお上記実施形態においては、照明器具（１０）を天井に吊持するようにしているが、照明器具の設置部（照明設置部）は天井に限られず、本発明においては、照明器具を店内の側壁面や支柱に固定したり、スタンドなどを介して床面に固定したり、支持アームなどを介して陳列台や陳列ケースなどの店内設置機器に固定するようにしても良い。
【００４１】
また上記実施形態においては、ランプとして直管蛍光灯を用いるようにしているが、それだけに限られず、本発明においては、発光ダイオード、白熱電球、電球型蛍光灯、ミニランプなどの非直管型のランプなどを、第１および第２ランプ収容凹部に沿って並べて配置するようにしても良い。、
【産業上の利用可能性】
【００４２】
この発明の照明器具は、例えば商品陳列台の商品や店舗内を照明するための照明設備に利用可能である。
【図面の簡単な説明】
【００４３】
【図１】この発明の実施形態である照明器具が適用されたスーパーマーケットなどの生鮮食料品売り場を示す斜視図である。
【図２】実施形態の照明器具を示す側面断面図である。
【図３】実施形態の照明器具を示す正面図である。
【図４】実施形態の照明器具を示す底面図である。
【図５】実施形態の照明器具における照明器具本体の端部を分解して示す斜視図である。
【図６】実施形態の照明器具における支持部材の可動部を分解して示す斜視図である。
【図７】実施形態の照明器具における配光状態を示す側面断面図である。
【符号の説明】
【００４４】
１０…照明器具
１１…照明器具本体
１３ａ，１３ｂ…蛍光灯収容凹部（ランプ収容凹部）
１４ａ，１４ｂ…直管蛍光灯（直管型ランプ）
５０，６０…リフレクター（反射板）
７０…支持部材
７３…可動金具（可動具）
Ｄ１，Ｄ２…開口方向
Ｌ１，Ｌ２…照明光
【図１】
0004633653.tif 000002
【図２】
0004633653.tif 000003
【図３】
0004633653.tif 000004
【図４】
0004633653.tif 000005
【図５】
0004633653.tif 000006
【図６】
0004633653.tif 000007
【図７】
0004633653.tif 000008